(57)【要約】【課題】情報処理装置及びプログラムを提供する。【解決手段】表示機能と利用者のタッチ操作の検出機能を有する表示操作部と、第一の面または第二の面を示す操作オブジェクトを前記表示操作部に表示させる表示制御部と、前記タッチ操作に基づいて画像形成時の両面設定を特定する設定特定部を備え、前記表示制御部は、前記表示操作部に表示される前記操作オブジェクトが第一の面を示し、かつ、前記操作オブジェクト上でタッチ位置を移動させるタッチ操作を含む所定操作が検出される場合に、第二の面を示す前記操作オブジェクトと、前記両面設定を指定するための両面指定オブジェクトを前記操作オブジェクトと対応付けて表示させる、情報処理装置。【選択図】図１
2017038327.tif 000002
【特許請求の範囲】
【請求項１】
表示機能と利用者のタッチ操作の検出機能を有する表示操作部と、
第一の面または第二の面を示す操作オブジェクトを前記表示操作部に表示させる表示制御部と、
前記タッチ操作に基づいて画像形成時の両面設定を特定する設定特定部を備え、
前記表示制御部は、前記表示操作部に表示される前記操作オブジェクトが第一の面を示し、かつ、前記操作オブジェクト上でタッチ位置を移動させるタッチ操作を含む所定操作が検出される場合に、第二の面を示す前記操作オブジェクトと、前記両面設定を指定するための両面指定オブジェクトを前記操作オブジェクトと対応付けて表示させる、情報処理装置。
【請求項２】
前記所定操作は、前記操作オブジェクト上の点を始点とし、前記始点から所定距離以上離れた点を終点とする操作である、請求項１に記載の情報処理装置。
【請求項３】
前記所定操作は、前記始点から所定の方向に所定距離以上離れた点を終点とする操作である、請求項２に記載の情報処理装置。
【請求項４】
前記表示制御部は、前記所定操作における前記始点と現在のタッチ点との位置関係の変化に応じて、前記操作オブジェクトが前記第一の面を示す状態から前記第二の面を示す状態へ遷移するアニメーションを表示させる、請求項２または３に記載の情報処理装置。
【請求項５】
前記表示制御部は、前記両面指定オブジェクトを前記操作オブジェクトに重畳させて表示させる、請求項１〜４のいずれか一項に記載の情報処理装置。
【請求項６】
前記表示制御部は、複数の前記操作オブジェクトを重ねて表示させ、前記両面設定が指定された場合に前記複数の操作オブジェクトを重ねる順番を維持させる、請求項１〜５のいずれか一項に記載の情報処理装置。
【請求項７】
前記両面指定オブジェクトは、前記両面設定に関する値を、両面を示す値、または、片面を示す値、のいずれかに指定させるために表示される、請求項１〜６のいずれか一項に記載の情報処理装置。
【請求項８】
前記表示制御部は、前記両面設定に関する値が、両面を示す値に指定された場合に、第一の面を示す前記操作オブジェクトと、前記両面設定におけるとじ位置を指定するための、とじ位置指定オブジェクトを表示させる、請求項１〜７のいずれか一項に記載の情報処理装置。
【請求項９】
前記とじ位置指定オブジェクトは、前記操作オブジェクトが有する辺と対応付けて表示される、請求項８に記載の情報処理装置。
【請求項１０】
前記所定操作に基づいて、前記両面設定におけるとじ位置の初期値を特定する初期値特定部をさらに備える、請求項１〜９のいずれか一項に記載の情報処理装置。
【請求項１１】
前記初期値特定部は、前記所定操作におけるタッチ位置の移動方向に基づいて、前記とじ位置の初期値を特定する、請求項１０に記載の情報処理装置。
【請求項１２】
前記表示制御部は、指定された前記両面設定に応じた数の前記操作オブジェクトを重ねて表示させる、請求項１〜１１のいずれか一項に記載の情報処理装置。
【請求項１３】
コンピュータに、
第一の面または第二の面を示す操作オブジェクトを表示装置に表示させる処理と、
利用者のタッチ操作に基づいて画像形成時の両面設定を特定する処理と、
前記操作オブジェクトが第一の面を示し、かつ、前記操作オブジェクト上でタッチ位置を移動させるタッチ操作を含む所定操作が検出される場合に、第二の面を示す前記操作オブジェクトと、前記両面設定を指定するための両面指定オブジェクトを前記操作オブジェクトと対応付けて前記表示装置に表示させる処理と、
を行わせるための、プログラム。
【発明の詳細な説明】
【技術分野】
【０００１】
本発明は、情報処理装置及びプログラムに関する。
【背景技術】
【０００２】
タッチパネルは、利用者（ユーザ）が指などの物体を利用してアプリケーションを操作できるため、直感的で使いやすいユーザインタフェースを提供することができる。タッチパネルは、例えば銀行のＡＴＭ、デジタル複合機（画像形成装置）、携帯電話機やゲーム機器などに用いられている。
【０００３】
例えば、特許文献１には、デジタル複合機に搭載されたタッチパネルにおいて、所定方向にタッチ位置を移動させる操作が行われることで、両面印刷にかかる設定（両面設定）を制御するデジタル複合機が開示されている。
【先行技術文献】
【特許文献】
【０００４】
【特許文献１】特開２０１３−０４５１２５号公報
【発明の概要】
【発明が解決しようとする課題】
【０００５】
しかし、特許文献１に記載の技術では、両面設定と上記操作との関連が弱く、当該操作により両面設定を制御可能であることが利用者にとって理解し難かった。
【０００６】
そこで、本発明は、上記問題に鑑みてなされたものであり、本発明の目的とするところは、利用者にとって理解しやすい操作で両面設定を行うことが可能な、新規かつ改良された情報処理装置及びプログラムを提供することにある。
【課題を解決するための手段】
【０００７】
上記課題を解決するために、本発明のある観点によれば、表示機能と利用者のタッチ操作の検出機能を有する表示操作部と、第一の面または第二の面を示す操作オブジェクトを前記表示操作部に表示させる表示制御部と、前記タッチ操作に基づいて画像形成時の両面設定を特定する設定特定部を備え、前記表示制御部は、前記表示操作部に表示される前記操作オブジェクトが第一の面を示し、かつ、前記操作オブジェクト上でタッチ位置を移動させるタッチ操作を含む所定操作が検出される場合に、第二の面を示す前記操作オブジェクトと、前記両面設定を指定するための両面指定オブジェクトを前記操作オブジェクトと対応付けて表示させる、情報処理装置が提供される。
【０００８】
前記所定操作は、前記操作オブジェクト上の点を始点とし、前記始点から所定距離以上離れた点を終点とする操作であってもよい。
【０００９】
前記所定操作は、前記始点から所定の方向に所定距離以上離れた点を終点とする操作であってもよい。
【００１０】
前記表示制御部は、前記所定操作における前記始点と現在のタッチ点との位置関係の変化に応じて、前記操作オブジェクトが前記第一の面を示す状態から前記第二の面を示す状態へ遷移するアニメーションを表示させてもよい。
【００１１】
前記表示制御部は、前記両面指定オブジェクトを前記操作オブジェクトに重畳させて表示させてもよい。
【００１２】
前記表示制御部は、複数の前記操作オブジェクトを重ねて表示させ、前記両面設定が指定された場合に前記複数の操作オブジェクトを重ねる順番を維持させてもよい。
【００１３】
前記両面指定オブジェクトは、前記両面設定に関する値を、両面を示す値、または、片面を示す値、のいずれかに指定させるために表示されてもよい。
【００１４】
前記表示制御部は、前記両面設定に関する値が、両面を示す値に指定された場合に、第一の面を示す前記操作オブジェクトと、前記両面設定におけるとじ位置を指定するための、とじ位置指定オブジェクトを表示させてもよい。
【００１５】
前記とじ位置指定オブジェクトは、前記操作オブジェクトが有する辺と対応付けて表示されてもよい。
【００１６】
前記所定操作に基づいて、前記両面設定におけるとじ位置の初期値を特定する初期値特定部をさらに備えてもよい。
【００１７】
前記初期値特定部は、前記所定操作におけるタッチ位置の移動方向に基づいて、前記とじ位置の初期値を特定してもよい。
【００１８】
前記表示制御部は、指定された前記両面設定に応じた数の前記操作オブジェクトを重ねて表示させてもよい。
【００１９】
また、上記課題を解決するために、本発明の別の観点によれば、コンピュータに、第一の面または第二の面を示す操作オブジェクトを表示装置に表示させる処理と、利用者のタッチ操作に基づいて画像形成時の両面設定を特定する処理と、前記操作オブジェクトが第一の面を示し、かつ、前記操作オブジェクト上でタッチ位置を移動させるタッチ操作を含む所定操作が検出される場合に、第二の面を示す前記操作オブジェクトと、前記両面設定を指定するための両面指定オブジェクトを前記操作オブジェクトと対応付けて前記表示装置に表示させる処理と、を行わせるための、プログラムが提供される。
【発明の効果】
【００２０】
以上説明したように本発明によれば、利用者にとって理解しやすい操作で両面設定を行うことが可能である。
【図面の簡単な説明】
【００２１】
【図１】本発明の第一の実施形態に係る画像形成装置の構成を示す説明図である。
【図２】同実施形態に係る表示操作部が表示する画面インタフェースの例を示す説明図である。
【図３】同実施形態に係る表示制御部が表示させる出力イメージの例を示す説明図である。
【図４】同実施形態による画像形成装置の動作例を説明するためのフローチャート図である。
【図５】同実施形態による画像形成装置の動作例を説明するためのフローチャート図である。
【図６】同実施形態による画像形成装置における両面設定時の画面遷移例を示す説明図である。
【図７】同実施形態による画像形成装置における両面設定時の画面遷移例を示す説明図である。
【図８】同実施形態による画像形成装置における両面解除時の画面遷移例を示す説明図である。
【図９】同実施形態による画像形成装置における両面解除時の画面遷移例を示す説明図である。
【図１０】本発明の第二の実施形態に係る画像形成装置の構成を示す説明図である。
【図１１】同実施形態による画像形成装置の動作例を説明するためのフローチャート図である。
【図１２】同実施形態による画像形成装置の動作例を説明するためのフローチャート図である。
【図１３】同実施形態による画像形成装置における両面設定時の画面遷移例である。
【図１４】同実施形態による画像形成装置における両面設定時の画面遷移例である。
【図１５】本発明の変形例を説明するための説明図である。
【図１６】本発明の変形例を説明するための説明図である。
【図１７】本発明の変形例を説明するための説明図である。
【図１８】画像形成装置のハードウェア構成を示す説明図である。
【発明を実施するための形態】
【００２２】
本発明は、例えば表裏面を備えた一枚の紙に相当する、第一の面と第二の面を備えた一つの画像表示媒体を模した操作オブジェクトを表示させることで、利用者にとって直観的な設定操作を可能とする。プリンタ機能やコピー機能の設定操作において本発明が適用される場合、操作オブジェクトは、例えば文字や写真等からなる画像が印刷されて出力される用紙の印刷状態の設定を模したものとなる。また、スキャナ機能における設定操作において本発明が適用される場合、操作オブジェクトは、例えば文字や写真等からなる画像が表示されている用紙の、スキャン対象の面等の設定を模したものとなる。
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
＜＜１．第一の実施形態＞＞
＜１−１．第一の実施形態の構成＞
まず、図１を参照して、本発明の第一の実施形態にかかる画像形成装置の構成を説明する。
【００２５】
図１は、本発明の第一の実施形態に係る画像形成装置１−１の構成を示す説明図である。図１に示すように、本実施形態による画像形成装置１−１は、入力装置１０、スキャナ部１２、プリンタ部１４、制御部１６を備える情報処理装置である。本実施形態による画像形成装置１は、少なくともコピー機能を有し、また、例えばスキャナ機能、ファクシミリ機能、インターネットファクシミリ機能、及びネットワークプリンタ機能などを有してもよい。以下、本実施形態に係る画像形成装置１−１の構成を説明した後、画像形成装置１−１が備える入力装置１０の構成について、詳細に説明する。
【００２６】
（画像形成装置）
入力装置１０は、利用者からの入力を受け付け、スキャナ部１２、及びプリンタ部１４の動作にかかる設定を特定する。また、入力装置１０は、特定された設定の情報を制御部１６に提供する。また、入力装置１０は、表示装置としての機能を有し、制御部１６なお、入力装置１０の詳細な構成については後述する。
【００２７】
スキャナ部１２は、制御部１６による設定、及び制御に基づいて、原稿から画像情報を読み取る。プリンタ部１４は、制御部１６による設定、及び制御に基づいて、画像情報を用紙に印刷（出力）する。
【００２８】
制御部１６は、入力装置１０から設定の情報を受け取り、当該設定を反映させる。また、制御部１６は、スキャナ部１２、プリンタ部１４を制御し、画像形成装置１−１が有するコピー機能等の各種機能を実現する。本実施形態に係る制御部１６は、後述する入力装置１０が特定した両面印刷に係る設定を反映させ、当該設定に基づいてスキャナ部１２、プリンタ部１４を制御する。
【００２９】
（入力装置の構成）
以上、本実施形態にかかる画像形成装置１−１の構成を説明した。続いて、本実施形態に係る画像形成装置１−１が有する入力装置１０の構成について説明する。図１に示すように、入力装置１０は、表示操作部１０２、表示制御部１０４、及び設定特定部１０６を備える情報処理装置である。
【００３０】
表示操作部１０２は、表示部（表示装置）としての表示機能と、検出部としての利用者のタッチ操作（タッチ位置、タッチ点の数等）の検出機能を有する。表示操作部１０２によるタッチ操作の検出は、表示操作部１０２に対する接触の検出に限られず、表示操作部１０２に指等の物体が近接したことを検出することで行われてもよい。また、表示操作部１０２は、表示部（表示装置）として画像形成装置１の各種機能を操作するための画面インタフェースを表示する。図２は、表示操作部１０２が表示する、コピー機能に関する操作を行うための画面インタフェースの例を示す説明図である。
【００３１】
図２に示すように、当該画面インタフェースは、例えば、プレビュー表示領域Ｕ１００と、ボタン表示領域Ｕ２００と、プレビュー切り替えボタンＵ３００を含む。プレビュー表示領域Ｕ１００には、利用者によるプレビュー切り替えボタンＵ３００の選択（例えばタッチ操作による押下）に応じて、原稿の状態や出力（印刷）イメージが表示される。図２に示す例では、プレビュー切り替えボタンＵ３００の出力イメージを示すボタンが選択されており、プレビュー表示領域Ｕ１００には出力イメージが表示されている。
【００３２】
ボタン表示領域Ｕ２００には、画像形成装置１−１の動作にかかる設定の表示と、設定変更を行うための各種ボタンが表示される。例えば、両面設定ボタンＵ２１０を利用者が選択することで、両面設定が変更されてもよい。また、両面設定ボタンＵ２１０を利用者が選択することで、両面設定を行うための詳細設定画面が表示されてもよい。また、現在の両面設定に応じて、両面設定ボタンＵ２１０内のテキストが変化してもよい。例えば、図２に示す例では「両面：オフ」というテキストが表示されているが、両面設定がオン（両面）の場合には「両面：オン」や「両面：両面長辺とじ」等のテキストが表示されてもよい。
【００３３】
本実施形態に係る画像形成装置１−１においては、ボタン表示領域Ｕ２００に表示されるボタンに対する利用者の操作だけでなく、プレビュー表示領域Ｕ１００に表示される出力イメージに対する利用者の操作によっても両面設定を行うことが可能である。プレビュー表示領域Ｕ１００に表示される出力イメージに対する利用者の操作による両面設定については、後述する。
【００３４】
図１に示す表示制御部１０４は、表示操作部１０２の表示を制御する。例えば、表示制御部１０４は、表示操作部１０２が検出するタッチ操作や、制御部１６から提供される現在の設定に関する情報に基づいて、図２に示したような表示操作部１０２に表示される画面インタフェースの表示を制御する。以下では、本実施形態に係る表示制御部１０４が図２を参照して説明したプレビュー表示領域Ｕ１００に表示させる出力イメージの例について、図３を参照して説明を行う。
【００３５】
図３は、図２を参照して説明したプレビュー表示領域Ｕ１００に、表示制御部１０４が表示させる出力イメージの例を示す説明図である。
【００３６】
図３上段に示す状態Ｄ１０は、プレビュー表示領域Ｕ１００に表示される出力イメージの初期状態である。状態Ｄ１０において、プレビュー表示領域Ｕ１００には、一枚目の出力用紙を示す操作オブジェクトＵ１１０と、二枚目の出力用紙を示す操作オブジェクトＵ１２０とが表示される。図３の状態Ｄ１０に示すように、表示制御部１０４は、複数の操作オブジェクトを重ねて表示させる。かかる構成により、利用者は出力（印刷）される頁数が複数であり、両面設定が可能であることを視覚的に理解することができる。
【００３７】
操作オブジェクトＵ１１０、及び操作オブジェクトＵ１２０は、状態Ｄ１０において、表面（第一の面）を示している。図３に示すように、状態Ｄ１０において操作オブジェクトＵ１１０の表面Ｕ１１４は、ページ番号Ｕ１１２等の印刷が行われている状態（印刷状態）を示し、操作オブジェクトＵ１２０の表面Ｕ１２４は、ページ番号Ｕ１２２等の印刷が行われている状態を示している。また、状態Ｄ１０において、操作オブジェクトＵ１１０は、表面を示しているが、操作オブジェクトＵ１１０には操作オブジェクトＵ１１０の裏面Ｕ１１６が一部含まれており、裏面Ｕ１１６は、印刷が行われていない状態（白紙状態）を示している。
【００３８】
図３中段に示す状態Ｄ２０は、操作オブジェクトＵ１１０が状態Ｄ１０のように表面を示し、かつ、操作オブジェクトＵ１１０上でタッチ位置を移動させるタッチ操作を含む所定操作が検出される場合に表示される、両面設定を行うための出力イメージを示している。状態Ｄ２０において、プレビュー表示領域Ｕ１００には操作オブジェクトＵ１１０、操作オブジェクトＵ１２０、及び両面設定を指定するための両面指定オブジェクトＵ１３０が表示されている。
【００３９】
なお、上記の所定操作は、例えば、操作オブジェクトＵ１１０上の点を始点とし、当該始点から所定距離以上離れた点を終点とする操作であってもよい。また、上記の所定操作は、上記始点から所定の方向に所定距離以上離れた点を終点とする操作であってもよい。かかる構成によれば、現実において紙を裏返す（捲る）動作に近い操作で操作オブジェクトＵ１１０の状態を表面から裏面に遷移させることが可能であり、利用者にとって操作が理解しやすい。
【００４０】
操作オブジェクトＵ１１０、及び操作オブジェクトＵ１２０は、状態Ｄ２０において、裏面（第二の面）を示している。状態Ｄ２０において操作オブジェクトＵ１１０の裏面Ｕ１１６、及び操作オブジェクトＵ１２０の裏面Ｕ１２６は、印刷が行われていない状態を示している。また、状態Ｄ２０において、操作オブジェクトＵ１１０は、裏面を示しているが、操作オブジェクトＵ１１０には操作オブジェクトＵ１１０の表面Ｕ１１４が一部含まれており、表面Ｕ１１４は、印刷が行われている状態を示している。
【００４１】
両面指定オブジェクトＵ１３０は、両面設定に関する値を、両面（両面印刷）を示す値（両面オン）、または、片面（片面印刷）を示す値（両面オフ）、のいずれかに利用者に指定させるために表示される。例えば、図３に示すように、両面指定オブジェクトＵ１３０は、両面オフに指定するための裏面白紙指定ボタンＵ１３２と、両面オンに指定するための裏面印刷指定ボタンＵ１３４とを有する。かかる構成によれば、裏面を示す操作オブジェクトＵ１１０が表示された状態で、当該裏面に印刷するか否か（両面か片面か）を指定することが可能であり、利用者にとって、操作がより理解しやすい。なお、図３に示す状態Ｄ２０では、裏面白紙指定ボタンＵ１３２が選択されており、両面設定に関する値は、片面を示す値（両面オフ）に設定されている。
【００４２】
また、図３に示すように、両面指定オブジェクトＵ１３０は、操作オブジェクトＵ１１０と対応付けて表示される。例えば、表示制御部１０４は、図３に示すように両面指定オブジェクトＵ１３０を、裏面を示す操作オブジェクトＵ１１０に重畳させて表示させてもよい。かかる構成によれば、裏面を示す操作オブジェクトＵ１１０上のボタン（両面指定オブジェクトＵ１３０）に対して、当該裏面に印刷するか否か（両面か片面か）を指定する操作を行うことが可能であり、利用者にとって、操作がより理解しやすい。
【００４３】
図３下段に示す状態Ｄ３０は、両面設定に関する値が両面を示す値に指定された場合にプレビュー表示領域Ｕ１００に表示される、両面設定におけるとじ位置を指定するための出力イメージを示している。状態Ｄ３０において、プレビュー表示領域Ｕ１００には操作オブジェクトＵ１１０、操作オブジェクトＵ１２０、及び両面設定におけるとじ位置を指定するためのとじ位置指定オブジェクトＵ１４０が表示されている。かかる構成によれば、利用者が両面を示す値を指定する操作を行うと、自動的にとじ位置を指定するための表示に遷移するため、利用者にとって、操作の順番が理解しやすい。
【００４４】
操作オブジェクトＵ１１０、及び操作オブジェクトＵ１２０は、状態Ｄ３０において、表面（第一の面）を示している。状態Ｄ３０において操作オブジェクトＵ１１０の表面Ｕ１１４、及び操作オブジェクトＵ１２０の表面Ｕ１２４は、印刷が行われている状態を示している。また、状態Ｄ３０において、操作オブジェクトＵ１１０は表面を示しているが、操作オブジェクトＵ１１０には操作オブジェクトＵ１１０の裏面Ｕ１１６が一部含まれており、裏面Ｕ１１６は、印刷が行われている状態を示している。また、図３の状態Ｄ３０に示すように、両面設定が指定された場合、状態Ｄ１０と比較すると例えばページ番号Ｕ１２２等に変更が生じるが、複数の操作オブジェクト（操作オブジェクトＵ１１０と操作オブジェクトＵ１２０）が重ねられる順番は維持される。かかる構成により、利用者は、両面設定の変更が行われたことで、各用紙に印刷される頁が変更されたことを理解することが可能である。
【００４５】
とじ位置指定オブジェクトＵ１４０は、例えば、両面設定におけるとじ位置に関する値を、長辺を示す値（長辺とじ）、または、短辺を示す値（短辺とじ）、のいずれかに指定させるために表示される。例えば、図３に示すように、とじ位置指定オブジェクトＵ１４０は、長辺とじに指定するための長辺とじ指定ボタンＵ１４２と、短辺とじに指定するための短辺とじ指定ボタンＵ１４４とを有する。なお、図３に示す状態Ｄ３０では、長辺とじ指定ボタンＵ１４２が選択されており、とじ位置設定に関する値は、長辺を示す値（長辺とじ）に設定されている。
【００４６】
また、図３に示すように、とじ位置指定オブジェクトＵ１４０は、操作オブジェクトＵ１１０が有する辺と対応付けて表示される。例えば、図３に示すように、長辺とじ指定ボタンＵ１４２は、操作オブジェクトＵ１１０の左側長辺と対応付けて表示され、短辺とじ指定ボタンＵ１４４は、操作オブジェクトＵ１１０の上側短辺と対応付けて表示されてもよい。かかる構成によれば、利用者は両面印刷におけるとじ位置に関する設定（長辺とじ、及び短辺とじ）について視覚的に理解することが可能である。
【００４７】
以上のように、表示制御部１０４は、表面（第一の面）または裏面（第二の面）を示す操作オブジェクトＵ１１０、Ｕ１２０を表示操作部１０２に表示させる。
【００４８】
設定特定部１０６は、表示操作部１０２により検出されるタッチ操作に基づいて、画像形成時の両面設定を特定する。例えば、設定特定部１０６は、表示制御部１０４により表示される両面指定オブジェクトＵ１３０や、とじ位置指定オブジェクトＵ１４０へのタッチが行われた場合に対応する両面設定を特定する。また、設定特定部１０６は、特定した両面設定の情報を、制御部１６に提供する。
【００４９】
＜１−２．第一の実施形態の動作＞
以上、本発明の第一の実施形態による画像形成装置１−１、及び画像形成装置１−１に含まれる入力装置１０の構成を説明した。続いて、本実施形態による画像形成装置１−１の動作を説明する。以下では、本実施形態による画像形成装置１−１の動作フローについて図４、図５のフローチャートを参照して説明した後、具体的な動作例について図６〜図９の画面遷移例を参照して説明を行う。
【００５０】
（動作フロー）
まず、本実施形態による画像形成装置１−１の動作フローについて図４、図５のフローチャートを参照して説明を行う。図４、図５は、本実施形態による画像形成装置１−１の動作例を説明するためのフローチャート図である。
【００５１】
まず、利用者が操作オブジェクトＵ１１０上のある点を始点として、タッチ位置（タッチ点の位置）を移動させると、表示操作部１０２によりタッチ位置の移動が検出される（図４に示すＳ１００）。
【００５２】
続いて、表示制御部１０４は、タッチ位置に応じて遷移アニメーションを表示させる（Ｓ１０４）。表示制御部１０４が表示させる遷移アニメーションは、例えば、上述した所定操作における始点と現在のタッチ点との位置関係の変化に応じて、操作オブジェクト１１０が表面を示す状態から裏面を示す状態へ遷移するアニメーションであってもよい。また、当該遷移アニメーションは、始点から現在のタッチ位置までの距離、または当該距離の所定方向（例えば左方向）成分に応じて操作オブジェクトＵ１１０が捲られるアニメーションであってもよい。かかる構成によれば、タッチ位置を移動させることで操作オブジェクトＵ１１０が表面を示す状態から裏面を示す状態に遷移することが、利用者にとって視覚的に理解しやすい。
【００５３】
続いて、タッチ点が解放されると、始点から当該解放時点でのタッチ点までの距離に基づいて上述の所定操作が行われたか否かの判定が表示制御部１０４により行われる（Ｓ１０８）。例えば、当該判定は、タッチ点が始点から所定距離以上離れた点で解放されたか否かにより判定されてもよい。また、当該判定は、上記の遷移アニメーションにおいて、操作オブジェクトＵ１１０が半分以上捲れた状態（裏面Ｕ１１６が半分以上表示された状態）においてタッチ点が解放されたか否かにより行われてもよい。かかる構成によれば、所定操作が行われたと判定されるための条件（所定距離）が、利用者にとって視覚的に理解しやすい。
【００５４】
始点から所定距離以上離れていない点でタッチ点が解放されたと判定された場合（Ｓ１０８においてＮＯ）、動作は終了する。
【００５５】
一方、始点から所定距離以上離れた点でタッチ点が解放されたと判定された場合（Ｓ１０８においてＹＥＳ）、表示制御部１０４は、裏面状態の操作オブジェクトＵ１１０を表示させる（Ｓ１１２）。この時、表示制御部１０４は、操作オブジェクトＵ１１０を裏面状態で表示させた後、操作オブジェクトＵ１２０を追従するように裏面状態で表示させる。ここで、操作オブジェクトＵ１２０は、表面から裏面へ捲られるような遷移アニメーションが行われた後に裏面状態で表示されてもよい。
【００５６】
続いて、表示制御部１０４は、両面指定オブジェクトＵ１３０（裏面白紙指定ボタンＵ１３２、及び裏面印刷指定ボタンＵ１３４）を表示させる（Ｓ１１６）。裏面印刷が指定された（裏面印刷指定ボタンＵ１３４がタッチ操作により選択された）場合（Ｓ１２０においてＹＥＳ）、設定特定部１０６は、両面出力設定を「両面（長辺とじ）」（両面設定が両面オン、とじ位置が長辺とじ）と特定する（Ｓ１２４）。続いて、表示制御部１０４は、裏面印刷状態の操作オブジェクトＵ１１０、Ｕ１２０を表示させる（Ｓ１２８）。なお、ここでは、とじ位置の初期値を長辺とじとする例を説明したが、本発明は係る例に限定されず、当該初期値は短辺とじでもよい。
【００５７】
一方、裏面印刷が指定されなかった（裏面白紙指定ボタンＵ１３２がタッチ操作により選択された）場合（Ｓ１２０においてＮＯ）、設定特定部１０６は、両面出力設定を「片面」（両面設定がオフ）と特定する（Ｓ１３２）。続いて、表示制御部１０４は、裏面白紙状態の操作オブジェクトＵ１１０、Ｕ１２０を表示させる（Ｓ１３６）。
【００５８】
続いて、表示制御部１０４は、両面指定オブジェクトＵ１３０を消去し（図５に示すＳ１４０）、操作オブジェクトＵ１１０、Ｕ１２０を表面状態に切り替える（Ｓ１４４）。図４に示すステップＳ１２０において「裏面印刷」が指定されていなかった場合（Ｓ１４８においてＮＯ）、動作は終了する。
【００５９】
一方、ステップＳ１２０において「裏面印刷」が指定されていた場合（Ｓ１４８においてＹＥＳ）、表示制御部１０４は、とじ位置指定オブジェクトＵ１４０（長辺とじ指定ボタンＵ１４２、及び短辺とじ指定ボタンＵ１４４）を表示させる（Ｓ１５２）。ここで、とじ位置指定操作が行われなかった（とじ位置指定オブジェクトＵ１４０以外の領域がタッチされる等の操作が行われた）場合（Ｓ１５６においてＮＯ）、動作は終了する。
【００６０】
一方、とじ位置指定オブジェクトＵ１４０に対するとじ位置指定操作が行われた場合（Ｓ１５６においてＹＥＳ）、設定特定部１０６が当該操作に対応するとじ位置に係る設定を特定し、特定された設定に従って制御部１６がとじ位置に係る設定を行う。
【００６１】
（両面設定の動作例）
以上、本実施形態による画像形成装置１−１の動作フローについて説明した。続いて、両面オフから両面オンに設定変更する両面設定の動作例について、図６、図７を参照して説明を行う。また、図６、図７は、本実施形態による画像形成装置１−１における両面設定時の画面遷移例を示す説明図である。
【００６２】
まず、図６の状態Ｄ１０５に示すように、利用者が操作オブジェクトＵ１１０上の位置（例えば、図６に示す点Ｔ１００）にタッチすると、操作オブジェクトＵ１１０が選択された状態となり、例えば、操作オブジェクトＵ１１０の色が変化する。続いて、図６の状態Ｄ１１０に示すように、利用者が操作オブジェクトＵ１１０上の点Ｔ１００を始点として、例えば操作オブジェクトＵ１１０上の点Ｔ１１０までタッチ位置を移動させると、操作オブジェクト１１０が捲られる遷移アニメーションが行われる。
【００６３】
続いて、操作オブジェクト１１０が半分以上捲れた状態（裏面Ｕ１１６が半分以上表示された状態）でタッチ点が解放されると、図６の状態Ｄ１１５に示すように、裏面状態の操作オブジェクトＵ１１０、Ｕ１２０が表示される。なお、操作オブジェクト１１０が半分以上捲れていない状態でタッチ点が解放された場合、表示は初期状態（図３の状態Ｄ１０）に戻る。
【００６４】
続いて、図６の状態Ｄ１２０に示すように、裏面白紙指定ボタンＵ１３２が選択された状態の、両面指定オブジェクトＵ１３０が操作オブジェクトＵ１１０に重畳されて表示される。
【００６５】
ここで、裏面印刷指定ボタンＵ１３４がタッチ操作により選択された場合、図７の状態Ｄ１２５に示すように、裏面印刷指定ボタンＵ１３４が選択された両面指定オブジェクトＵ１３０と、裏面印刷状態の操作オブジェクトＵ１１０、Ｕ１２０が表示される。図７に示すように裏面印刷状態の操作オブジェクトＵ１１０、Ｕ１２０は、裏面Ｕ１１６、Ｕ１２６に例えばページ番号Ｕ１１８、Ｕ１２８等の印刷が行われている状態を示している。なお、裏面白紙指定ボタンＵ１３２がタッチ操作により選択された場合、両面設定は変更されず、表示は初期状態（図３の状態Ｄ１０）に戻る。
【００６６】
続いて、図７の状態Ｄ１３０に示すように、表面を示す操作オブジェクトＵ１１０、Ｕ１２０が表示される。図７の状態Ｄ１２５から状態Ｄ１３０に表示が切り替わる際、操作オブジェクトＵ１１０、Ｕ１２０は、裏面から表面へ捲られるような遷移アニメーションが行われた後に表面状態で表示されてもよい。
【００６７】
続いて、図７の状態Ｄ１３５に示すように、長辺とじ指定ボタンＵ１４２が選択された（すなわち長辺とじ両面印刷設定が行われた）状態の、とじ位置指定オブジェクトＵ１４０が表示される。ここで、短辺とじ指定ボタンＵ１４４が選択された場合、図７の状態Ｄ１４０に示すように、短辺とじ指定ボタンＵ１４４が選択された（すなわち短辺とじ両面印刷設定が行われた）状態の、とじ位置指定オブジェクトＵ１４０が表示される。
【００６８】
（両面解除の動作例）
以上、両面設定の動作例について説明した。続いて、両面オンから両面オフに設定変更する両面解除の動作例について、図８、図９を参照して説明を行う。図８、図９は、本実施形態による画像形成装置１−１における両面解除時の画面遷移例である。
【００６９】
まず、図８の状態Ｄ１４５に示すように、両面設定が両面オンとなっている状態で、利用者が操作オブジェクトＵ１１０上の位置（例えば、図８に示す点Ｔ１２０）にタッチすると、操作オブジェクトＵ１１０が選択された状態となる。続いて、図８の状態Ｄ１５０に示すように、利用者が操作オブジェクトＵ１１０上の点Ｔ１２０を始点として、例えばＵ１１０上の点Ｔ１１０までタッチ位置を移動させると、操作オブジェクト１１０が捲られる遷移アニメーションが行われる。
【００７０】
続いて、操作オブジェクト１１０が半分以上捲れた状態（裏面Ｕ１１６が半分以上表示された状態）でタッチ点が解放されると、図８の状態Ｄ１５５に示すように、裏面状態の操作オブジェクトＵ１１０、Ｕ１２０が表示される。
【００７１】
続いて、図８の状態Ｄ１６０に示すように、裏面印刷指定ボタンＵ１３４が選択された状態の両面指定オブジェクトＵ１３０が、操作オブジェクトＵ１１０に重畳されて表示される。
【００７２】
ここで、裏面白紙指定ボタンＵ１３２がタッチ操作により選択された場合、図９の状態Ｄ１６５に示すように、裏面白紙指定ボタンＵ１３２が選択された両面指定オブジェクトＵ１３０と、裏面白紙状態の操作オブジェクトＵ１１０、Ｕ１２０が表示される。図９に示すように裏面白紙状態の操作オブジェクトＵ１１０、Ｕ１２０は、裏面Ｕ１１６、Ｕ１２６に印刷が行われていない状態を示している。なお、裏面印刷指定ボタンＵ１３４がタッチ操作により選択された場合、両面設定は変更されず、表示は両面設定が両面オンとなっている状態（図７の状態Ｄ１３５）に戻る。
【００７３】
続いて、図９の状態Ｄ１７０に示すように、表面を示す操作オブジェクトＵ１１０、Ｕ１２０が表示される。図９の状態Ｄ１６５から状態Ｄ１７０に表示が切り替わる際、操作オブジェクトＵ１１０、Ｕ１２０は、裏面から表面へ捲られるような遷移アニメーションが行われた後に表面状態で表示されてもよい。
【００７４】
＜１−３．第一の実施形態の効果＞
以上、本発明の第一の実施形態について説明した。本実施形態によれば、利用者は理解しやすい操作で両面設定を行うことが可能である。例えば、利用者は直観的な操作で操作オブジェクトを捲って裏面を表示させることが可能である。また、裏面の印刷状態とともに両面設定（裏面の印刷設定）を指定するための指定オブジェクトが明示的に表示されるため、利用者は用紙を裏返して裏面の印刷状態を確認して両面設定を指定する、という自然な操作で設定の確認・変更を行うことが可能である。また、とじ位置を指定するとじ位置指定オブジェクトが、自然な順番（両面設定の後）で明示的に提供されるため、とじ位置に関する設定の確認・変更のための操作も利用者にとって理解しやすい。
【００７５】
＜＜２．第二の実施形態＞＞
上述した第一の実施形態では、とじ位置の初期値が予め決められている例を説明した。これに対し、以下では、第二の実施形態として、利用者の操作に基づいてとじ位置の初期値を特定する例について説明する。第二の実施形態に係る画像形成装置では、両面設定の指定オブジェクトを表示させるための所定操作に基づいてとじ位置の初期値を特定することで、利用者は、より簡易にとじ位置の指定を行うことが可能である。以下では、上記の効果を奏する第二の実施形態の構成と動作について、順次詳細に説明する。
【００７６】
＜２−１．第二の実施形態の構成＞
本発明の第二の実施形態に係る画像形成装置は、第一の実施形態に係る画像形成装置と同様に、少なくともコピー機能を有する情報処理装置である。また、第二の実施形態に係る画像形成装置は、例えばスキャナ機能、ファクシミリ機能、インターネットファクシミリ機能、及びネットワークプリンタ機能などを有してもよい。また、本開示の第二の実施形態に係る画像形成装置は、図１を参照して説明した第一の実施形態に係る画像形成装置１−１と一部において同様の構成を有するため、適宜省略しながら説明を行う。以下では、図１０を参照して、第二の実施形態に係る画像形成装置の構成について説明する。
【００７７】
図１０は、本実施形態に係る画像形成装置の構成例を示す説明図である。図１０に示すように、本実施形態に係る画像形成装置１−２は、例えば、入力装置２０、スキャナ部２２、プリンタ部２４、制御部２６を備える。図１０に示すスキャナ部２２、プリンタ部２４、制御部２６の構成は、それぞれ図１を参照して説明したスキャナ部１２、プリンタ部１４、制御部１６の構成と実質的に同一であるため、説明を省略する。
【００７８】
図１０に示すように、本実施形態に係る画像形成装置１−２が備える入力装置２０は、表示操作部２０２、表示制御部２０４、設定特定部２０６、移動方向識別部２１２、及び初期値特定部２１４を備える情報処理装置である。
【００７９】
表示操作部２０２は、図１を参照して説明した表示操作部１０２と同様に、表示部（表示装置）としての表示機能と、検出部としての利用者のタッチ操作（タッチ位置、タッチ点の数等）の検出機能を有する。また、本実施形態に係る表示操作部２０２は、検出した利用者のタッチ操作の情報を後述する移動方向識別部２１２に、提供する。
【００８０】
表示制御部２０４は、図１を参照して説明した表示制御部１０４と同様に、表示操作部２０２の表示を制御する。また、本実施形態に係る表示制御部２０４は、後述する初期値特定部２１４により特定されるとじ位置の初期値に応じて表示を制御する。
【００８１】
設定特定部２０６は、図１を参照して説明した設定特定部１０６と同様に、表示操作部２０２により検出されるタッチ操作に基づいて、画像形成時の両面設定を特定する。本実施形態に係る、設定特定部２０６は、初期値特定部２１４により特定されるとじ位置の初期値を制御部２６に提供する。
【００８２】
移動方向識別部２１２は、表示操作部２０２により検出されたタッチ操作の情報に基づいて、両面指定オブジェクトを表示させるための所定操作におけるタッチ位置の移動方向を識別する。例えば、移動方向識別部２１２は、上記所定操作におけるタッチ位置の移動を、直交座標系におけるＸ軸（横方向の軸）成分とＹ軸（縦方向の軸）成分に分解し、より大きな成分（主成分）を識別することで、上記移動方向を識別してもよい。また、移動方向識別部２１２は、識別した移動方向の情報を初期値特定部２１４に提供する。
【００８３】
初期値特定部２１４は、両面指定オブジェクトを表示させるための所定操作に基づいて、両面設定におけるとじ位置の初期値を特定する。また、初期値特定部２１４は、特定したとじ位置の初期値を表示制御部２０４、及び設定特定部２０６に提供する。かかる構成によれば、利用者は、上記所定操作を行うことで、両面設定のために両面指定オブジェクトを表示させると同時に、とじ位置の設定に関する指定を行うことが可能であり、より簡易にとじ位置の指定を行うことが可能である。
【００８４】
例えば、初期値特定部２１４は、移動方向識別部２１２により識別された、両面設定のための所定操作におけるタッチ位置の移動方向に基づいて、とじ位置の初期値を特定してもよい。本実施形態に係る初期値特定部２１４は、上記移動方向が左方向であれば、長辺とじを当該初期値として特定し、上記移動方向が上方向であれば、短辺とじを当該初期値として特定してもよい。
【００８５】
＜２−２．第二の実施形態の動作＞
以上、本発明の第二の実施形態による画像形成装置１−２の構成を説明した。続いて、本実施形態による画像形成装置１−２の動作を説明する。以下では、本実施形態による画像形成装置１−２の動作フローについて図１１、図１２のフローチャートを参照して説明した後、具体的な動作例について図１３、図１４の画面遷移例を参照して説明を行う。なお、本実施形態の動作は、第一の実施形態と一部において同様の動作を有するため、以下では、適宜省略しながら説明を行う。
【００８６】
（動作フロー）
まず、本実施形態による画像形成装置１−２の動作フローについて図１１、図１２のフローチャートを参照して説明を行う。図１１、図１２は、本実施形態による画像形成装置１−２の動作例を説明するためのフローチャート図である。
【００８７】
図１１に示すステップＳ２００〜ステップＳ２０８の処理は図４を参照して説明したステップＳ１００〜ステップＳ１０８の処理と同様であるため、説明を省略する。
【００８８】
ステップＳ２０８において、始点から所定距離以上離れた点でタッチ点が解放された（すなわち、所定動作が行われた）と判定された場合（Ｓ２０８においてＹＥＳ）、移動方向識別部２１２は、移動方向の主成分を識別する（Ｓ２１０）。
【００８９】
続くステップＳ２１２〜Ｓ２２０の処理は、図４を参照して説明したステップＳ１１２〜ステップＳ１２０の処理と同様であるため、説明を省略する。
【００９０】
ステップＳ２２０において、裏面印刷が指定されたと判定された場合（Ｓ２２０においてＹＥＳ）、初期値特定部２１４は、ステップＳ２１０で識別された移動方向に基づく判定を行う（Ｓ２２２）。所定操作におけるタッチ移動の主成分が左方向であった場合（Ｓ２２２においてＹＥＳ）、初期値特定部２１４はとじ位置の初期値を長辺とじと特定し、設定特定部１０６は、両面出力設定を「両面（長辺とじ）」と特定する（Ｓ２２４）。一方、所定操作におけるタッチ移動の主成分が上方向であった場合（Ｓ２２２においてＮＯ）、設定特定部１０６は、両面出力設定を「両面（短辺とじ）」と特定する（Ｓ２２６）。
【００９１】
図１１に示すステップＳ２２８〜Ｓ２３６、及び図１２に示すステップＳ２４０〜Ｓ２４８の動作は図４を参照して説明したステップＳ１２８〜Ｓ１３６、及び図５を参照して説明したステップＳ１４０〜Ｓ１４８の処理と同様であるため、説明を省略する。
【００９２】
図１２に示すステップＳ２４８において、「裏面印刷」が指定されていると判定された場合（Ｓ２４８においてＹＥＳ）、表示制御部１０４は、とじ位置の初期値に応じたとじ位置指定オブジェクトＵ１４０を表示させる（Ｓ２５２）。続くステップＳ２５６、Ｓ２６０は図５を参照して説明したステップＳ２５６〜Ｓ２６０の処理と同様であるため、説明を省略する。
【００９３】
（動作例）
以上、本実施形態による画像形成装置１−２の動作フローについて説明した。続いて、本実施形態の動作例について、図６、図７を参照して説明を行う。本実施形態の動作は両面設定におけるとじ位置の初期値の特定に係る部分以外は第一の実施形態の動作と同様であるため、以下では、とじ位置の初期値の特定に係る部分を中心に、説明を行う。図１３、図１４は、本実施形態による画像形成装置１−２における両面設定時の画面遷移例である。
【００９４】
まず、所定操作により、長辺とじを初期値として指定する場合の動作例について、図１３を参照して説明する。
【００９５】
図１３の状態Ｄ２０５に示すように、利用者が操作オブジェクトＵ１１０上の点Ｔ２００を始点として点Ｔ２１０までタッチ位置を左方向に移動させると、操作オブジェクト１１０が捲られる遷移アニメーションが行われる。
【００９６】
続いて、操作オブジェクト１１０が半分以上捲れた状態（裏面Ｕ１１６が半分以上表示された状態）、かつタッチ位置が左方向に移動した状態でタッチ点が解放されると、初期値特定部２１４により、とじ位置の初期値は長辺とじと特定される。
【００９７】
続いて、図６、７を参照して説明した状態Ｄ１１０〜Ｄ１３０と同様の画面遷移が行われる。さらに続いて、図１３の状態Ｄ２１０に示すように、長辺とじ指定ボタンＵ１４２が選択された（すなわち長辺とじ両面印刷設定が行われた）状態の、とじ位置指定オブジェクトＵ１４０が表示される。なお、図１３に示す状態Ｄ２１０において、短辺とじ指定ボタンＵ１４４が選択された場合、図７を参照して説明したように、画面は図７に示す状態Ｄ１４０に遷移する。
【００９８】
以上、所定操作により、長辺とじを初期値として指定する場合の動作例について、説明した。続いて、所定操作により、短辺とじを初期値として指定する場合の動作例について、図１４を参照して説明する。
【００９９】
図１４の状態Ｄ２１５に示すように、利用者が操作オブジェクトＵ１１０上の点Ｔ２２０を始点として点Ｔ２４０までタッチ位置を上方向に移動させると、操作オブジェクト１１０が捲られる遷移アニメーションが行われる。
【０１００】
続いて、操作オブジェクト１１０が半分以上捲れた状態（裏面Ｕ１１６が半分以上表示された状態）、かつタッチ位置が上方向に移動した状態でタッチ点が解放されると、初期値特定部２１４により、とじ位置の初期値は短辺とじと特定される。
【０１０１】
続いて、図６、７を参照して説明した状態Ｄ１１０〜Ｄ１３０と同様の画面遷移が行われる。さらに続いて、図１４の状態Ｄ２２０に示すように、短辺とじ指定ボタンＵ１４４が選択された（すなわち短辺とじ両面印刷設定が行われた）状態の、とじ位置指定オブジェクトＵ１４０が表示される。なお、図１４に示す状態Ｄ２２０において、長辺とじ指定ボタンＵ１４２が選択された場合、画面は図７に示す状態Ｄ１３５に遷移する。
【０１０２】
＜２−３．第二の実施形態の効果＞
以上、本発明の第二の実施形態について説明した。本実施形態によれば、両面設定の指定オブジェクトを表示させるための所定操作に基づいてとじ位置の初期値を特定することで、利用者は、より簡易にとじ位置の指定を行うことが可能である。
【０１０３】
＜＜３．変形例＞
以上、本発明の実施形態を説明した。以下では、本発明の幾つかの変形例を説明する。なお、以下に説明する各変形例は、単独で各実施形態に適用されてもよいし、組み合わせで各実施形態に適用されてもよい。また、各変形例は、上記実施形態で説明した構成に代えて適用されてもよいし、上記実施形態で説明した構成に対して追加的に適用されてもよい。
【０１０４】
＜３−１．変形例１＞
上記実施形態では、図２を参照して説明したプレビュー表示領域Ｕ１００に対するタッチ操作により両面設定の確認・変更が行われる例を説明したが、本発明は係る例に限定されない。例えば、図２に示す両面設定ボタンＵ２１０を利用者が選択することで、両面設定を行うための詳細設定画面が表示されてもよい。
【０１０５】
図１５は、両面設定を行うための詳細設定画面の例を示す説明図である。図１５に示すように、詳細設定ボタン表示領域Ｕ５２０には、両面設定に係る各種設定ボタンが表示される。例えば、設定ボタンＵ５２６が選択され、確定ボタンＵ５４０が押下されると、入力が片面原稿であり、出力は長辺とじの両面印刷である、という設定が確定（実行）される。
【０１０６】
また、確定ボタンＵ５４０が押下された後に、図２に示す画面インタフェースに戻り、さらに、プレビュー表示領域Ｕ１００において、自動的な画面遷移が行われてもよい。
【０１０７】
図１６は、上記のようなボタンによる両面設定の変更時に、自動的に行われる画面遷移の例を示す説明図である。自動的な画面遷移においては、図１６の状態Ｄ２２５に示すように、画面上に指アイコンＵ１５０が表示され、図１６の状態Ｄ２３０に示すように指アイコンＵ１５０が移動する表示が行われてもよい。その後、図６、図７を参照して説明した状態Ｄ１１０〜Ｄ１３５と同様の画面遷移が行われてもよい。なお、状態Ｄ１１０〜Ｄ１３５と同様の画面遷移においても、ボタンの選択時に指アイコンＵ１５０が表示されてもよい。かかる構成によれば、ボタンによる両面設定の変更を行った利用者に対して、プレビュー表示領域Ｕ１００に対するタッチ操作により両面設定の変更が可能であることを示唆することが可能である。
【０１０８】
＜３−２．変形例２＞
上記実施形態では、一枚目の出力用紙を示す操作オブジェクトＵ１１０と、二枚目の出力用紙を示す操作オブジェクトＵ１２０との、２つの操作オブジェクトが表示される例を説明したが、本実施形態はかかる例に限定されない。例えば、表示制御部は、出力（印刷）される枚数に応じた数の操作オブジェクトを重ねて表示させてもよい。また、表示制御部は、指定された両面設定に応じた数の操作オブジェクトを重ねて表示させてもよい。
【０１０９】
図１７は、出力される枚数と指定された両面設定に応じた数の操作オブジェクトが表示される場合の画面遷移例を説明するための説明図である。図１７に示す例では、出力頁数は６頁であるとする。図１７の状態Ｄ２４０に示すように、両面設定がオフ（片面印刷）の場合、出力枚数は６枚であるため、操作オブジェクトＵ１１０、Ｕ１２０に加え、複数の操作オブジェクトＵ１６０が表示され、合計６つの操作オブジェクトが重ねて表示される。
【０１１０】
図１７の状態Ｄ２４０から両面設定のための操作が行われ、図６、図７を参照して説明した状態Ｄ１０５〜Ｄ１２５と同様の画面遷移が行われると、図１７に示す状態Ｄ２４５に画面が遷移する。ここで、両面設定がオン（両面印刷）に変更されたため、出力枚数は３枚となり、図１７の状態Ｄ２４５に示すように、３つの操作オブジェクトＵ１１０、Ｕ１２０、Ｕ１６０が重ねて表示される。
【０１１１】
＜＜４．ハードウェア構成例＞＞
以上、本発明の各実施形態と各変形例を説明した。上述した表示制御などの情報処理は、ソフトウェアと、以下に説明する画像形成装置１のハードウェアとの協働により実現される。
【０１１２】
図１８は、画像形成装置１のハードウェア構成を示す説明図である。図１８に示したように、画像形成装置１は、ＣＰＵ（Ｃｅｎｔｒａｌ  Ｐｒｏｃｅｓｓｉｎｇ  Ｕｎｉｔ）１２１と、ＲＯＭ（Ｒｅａｄ  Ｏｎｌｙ  Ｍｅｍｏｒｙ）１２２と、ＲＡＭ（Ｒａｎｄｏｍ  Ａｃｃｅｓｓ  Ｍｅｍｏｒｙ）１２３と、入出力装置１２４と、ストレージ装置１２５と、スキャナ装置１２６と、プリンタ装置１２７と、通信装置１２８とを備える。
【０１１３】
ＣＰＵ１２１は、演算処理装置及び制御装置として機能し、各種プログラムに従って画像形成装置１内の動作全般を制御する。また、ＣＰＵ１２１は、マイクロプロセッサであってもよい。ＲＯＭ１２２は、ＣＰＵ１２１が使用するプログラムや演算パラメータなどを記憶する。ＲＡＭ１２３は、ＣＰＵ１２１の実行において使用するプログラムや、その実行において適宜変化するパラメータなどを一時記憶する。これらはＣＰＵバスなどから構成されるホストバスにより相互に接続されている。主に、ＣＰＵ１２１、ＲＯＭ１２２及びＲＡＭ１２３とソフトウェアとの協働により、表示制御部１０４、設定特定部１０６、制御部１６の機能が実現される。
【０１１４】
入出力装置１２４は、タッチパネルなどユーザが情報を入力するための入力手段と、撮像された画像や生成された画像などを表示する表示手段を含む。入力手段は、ユーザによる入力に基づいて入力信号を生成し、ＣＰＵ１２１に出力する入力制御回路などから構成されている。入力手段は、マウス、キーボード、タッチパネル、ボタン、マイクロフォン、スイッチ及びレバーなどを含んでもよい。画像形成装置１のユーザは、該入出力装置１２４を操作することにより、画像形成装置１に対して各種のデータを入力したり処理動作を指示したりすることができる。また、出力手段はスピーカ及びヘッドホンなどの音声出力装置を含み、音声出力装置は、音声データなどを音声に変換して出力する。入出力装置１２４は、図１を参照して説明した表示操作部１０２に対応する。
【０１１５】
ストレージ装置１２５は、データ格納用の装置である。ストレージ装置１２５は、記憶媒体、記憶媒体にデータを記録する記録装置、記憶媒体からデータを読み出す読出し装置及び記憶媒体に記録されたデータを削除する削除装置などを含んでもよい。ストレージ装置１２５は、ＣＰＵ１２１が実行するプログラムや各種データを格納する。
【０１１６】
スキャナ装置１２６は、ＡＤＦ（Ａｕｔｏ  Ｄｏｃｕｍｅｎｔ  Ｆｅｅｄｅｒ）と原稿台を備え、原稿用紙から画像情報を読み取る。スキャナ装置１２６は、図１を参照して説明したスキャナ部１２に対応する。プリンタ装置１２７は、画像データに従って用紙に印刷する。プリンタ装置１２７は、図１を参照して説明したプリンタ部１４に対応する。
【０１１７】
通信装置１２８は、例えば、伝送路に接続するための通信デバイスなどで構成された通信インタフェースである。また、通信装置１２８は、無線ＬＡＮ（Ｌｏｃａｌ  Ａｒｅａ  Ｎｅｔｗｏｒｋ）対応通信装置、ＬＴＥ（Ｌｏｎｇ  Ｔｅｒｍ  Ｅｖｏｌｕｔｉｏｎ）対応通信装置、有線による通信を行うワイヤー通信装置、またはブルートゥース通信装置を含んでもよい。
【０１１８】
＜＜５．むすび＞＞
以上説明したように、本発明の実施形態によれば、利用者にとって理解しやすい操作で両面設定を行うことが可能である。
【０１１９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２０】
例えば、上記実施形態では、画像形成装置に入力装置が備えられた例を説明したが、本発明は係る例に限定されない。例えば、画像形成装置の外部に存在する入力装置（情報処理装置）が、上記実施形態で説明した表示操作部、表示制御部、設定特定部等の機能を有し、特定した両面設定を画像形成装置に提供（送信）してもよい。
【０１２１】
また、上記実施形態では、コピー機能に係る印刷における両面設定に本発明を適用した例を説明したが、本発明は係る例に限定されない。例えば、本発明は、スキャナ機能に係る原稿読取における両面設定にも適用可能である。
【０１２２】
また、画像形成装置１に内蔵されるＣＰＵ１２１、ＲＯＭ１２２、及びＲＡＭ１２３などのハードウェアに、上述した画像形成装置１の機能を発揮させるためのコンピュータプログラムも作成可能である。また、該コンピュータプログラムを記憶させた記憶媒体も提供される。
【産業上の利用可能性】
【０１２３】
本発明は、両面設定のためのタッチ操作に適用可能であり、特に画像形成装置における両面設定のためのタッチ操作に適用可能である。
【符号の説明】
【０１２４】
１  画像形成装置
１０、２０  入力装置
１２、２２  スキャナ部
１４、２４  プリンタ部
１６、２６  制御部
１０２、２０２  表示操作部
１０４、２０４  表示制御部
１０６、２０６  設定特定部
２１２  移動方向識別部
２１４  初期値特定部
【図１】
2017038327.tif 000003
【図２】
2017038327.tif 000004
【図３】
2017038327.tif 000005
【図４】
2017038327.tif 000006
【図５】
2017038327.tif 000007
【図６】
2017038327.tif 000008
【図７】
2017038327.tif 000009
【図８】
2017038327.tif 000010
【図９】
2017038327.tif 000011
【図１０】
2017038327.tif 000012
【図１１】
2017038327.tif 000013
【図１２】
2017038327.tif 000014
【図１３】
2017038327.tif 000015
【図１４】
2017038327.tif 000016
【図１５】
2017038327.tif 000017
【図１６】
2017038327.tif 000018
【図１７】
2017038327.tif 000019
【図１８】
2017038327.tif 000020